(57)【要約】【課題】信号鈍りを生じ難くする。【解決手段】複数のソース配線（表示配線）１７と、一端側が複数のソース配線１７の一端側と絶縁膜ＩＮを介して重畳する複数の第１配線２５と、一端側が複数のソース配線１７の他端側と絶縁膜ＩＮを介して重畳する複数の第２配線２６と、複数の第１配線２５の他端側から複数の第２配線２６の他端側に至るまで配索される複数の第３配線２７と、複数の第１配線２５の他端側と複数の第３配線２７の一端側とに絶縁膜ＩＮを介してそれぞれ重畳する第４配線２８と、複数の第２配線２６の他端側と複数の第３配線２７の他端側とに絶縁膜ＩＮを介してそれぞれ重畳する第５配線２９と、を備える。【選択図】図３
2019101211.tif 000002
【特許請求の範囲】
【請求項１】
複数の表示配線と、
一端側が複数の表示配線の一端側と絶縁膜を介して重畳する複数の第１配線と、
一端側が複数の表示配線の他端側と絶縁膜を介して重畳する複数の第２配線と、
複数の前記第１配線の他端側から複数の前記第２配線の他端側に至るまで配索される複数の第３配線と、
複数の前記第１配線の他端側と複数の前記第３配線の一端側とに絶縁膜を介してそれぞれ重畳する第４配線と、
複数の前記第２配線の他端側と複数の前記第３配線の他端側とに絶縁膜を介してそれぞれ重畳する第５配線と、を備える表示装置。
【請求項２】
前記第１配線の他端側と前記第３配線の一端側とが互いに並行しつつそれらの延在方向と交差する方向に並んで配されるとともに、前記第２配線の他端側と前記第３配線の他端側とが互いに並行しつつそれらの延在方向と交差する方向に並んで配されており、
前記第４配線は、前記第１配線の他端側及び前記第３配線の一端側の前記延在方向と交差するよう直線状をなすとともに、前記第５配線は、前記第２配線の他端側及び前記第３配線の他端側の前記延在方向と交差するよう直線状をなす請求項１記載の表示装置。
【請求項３】
複数の前記第１配線の他端側と複数の前記第３配線の一端側とが交互に並んで配されるとともに、複数の前記第２配線の他端側と複数の前記第３配線の他端側とが交互に並んで配される請求項２記載の表示装置。
【請求項４】
前記第４配線と前記第１配線の他端側または前記第３配線の一端側との間に介在する前記絶縁膜と、前記第５配線と前記第２配線の他端側または前記第３配線の他端側との間に介在する前記絶縁膜と、には、互いに重畳するもの同士を接続するためのコンタクトホールが形成されている請求項１から請求項３のいずれか１項に記載の表示装置。
【請求項５】
複数の前記表示配線と複数の前記第１配線の一部とが少なくとも設けられる表示基板と、
複数の前記第１配線の一部が少なくとも設けられて前記表示基板に接続されるフレキシブル基板と、を備える請求項１から請求項４のいずれか１項に記載の表示装置。
【請求項６】
前記第３配線の一端側及び前記第４配線は、前記表示基板において前記フレキシブル基板に対して隣り合うよう配される請求項５記載の表示装置。
【請求項７】
前記フレキシブル基板は、前記表示基板の端部に沿って複数が間隔を空けて並ぶ形で前記表示基板に接続されており、
複数の前記フレキシブル基板における前記表示基板側とは反対側の端部に接続されて複数の前記第１配線の一部が少なくとも設けられるプリント基板を備える請求項５または請求項６記載の表示装置。
【請求項８】
前記フレキシブル基板には、前記表示配線に信号を供給する表示駆動部が設けられている請求項５から請求項７のいずれか１項に記載の表示装置。
【請求項９】
複数の前記表示配線と、前記表示配線に対して交差する形で延在する第２の表示配線と、が少なくとも設けられる表示基板と、
前記第２の表示配線に信号を供給する第２の表示駆動部と、複数の前記第３配線の一部と、が少なくとも設けられて前記表示基板に接続される第２のフレキシブル基板と、を備える請求項１から請求項８のいずれか１項に記載の表示装置。
【請求項１０】
前記第２のフレキシブル基板は、前記表示基板の端部に沿って複数が間隔を空けて並ぶ形で前記表示基板に接続されており、
前記第３配線は、その一部が前記表示基板において隣り合う前記第２のフレキシブル基板の間となる部分に配される請求項９記載の表示装置。
【請求項１１】
前記第３配線の他端側及び前記第５配線は、前記表示基板において複数の前記第２のフレキシブル基板のうち前記第２配線の他端側に最も近い前記第２のフレキシブル基板に対して隣り合うよう配される請求項１０記載の表示装置。
【請求項１２】
複数の前記表示配線と、前記表示配線に対して交差する形で延在する第２の表示配線と、が少なくとも設けられる表示基板と、
前記第２の表示配線に信号を供給する第２の表示駆動部が少なくとも設けられて前記表示基板に接続される表示駆動用フレキシブル基板と、
複数の前記第３配線の一部が少なくとも設けられる第３配線用フレキシブル基板と、を備える請求項１から請求項８のいずれか１項に記載の表示装置。
【請求項１３】
前記第１配線、前記第２配線、前記第３配線、前記第４配線及び前記第５配線は、同数ずつ配される請求項１から請求項１２のいずれか１項に記載の表示装置。
【請求項１４】
前記第４配線は、複数ずつの前記第１配線の他端側と前記第３配線の一端側との全てに対して重畳し、前記第５配線は、複数ずつの前記第２配線の他端側と前記第３配線の他端側との全てに対して重畳しており、
１つずつの前記第１配線の他端側と前記第３配線の一端側とに対して重畳する第６配線と、
１つずつの前記第２配線の他端側と前記第３配線の他端側とに対して重畳する第７配線と、を備える請求項１から請求項１２のいずれか１項に記載の表示装置。
【請求項１５】
前記第３配線は、端部同士が隣り合って配される複数の分割第３配線に分割されており、
互いに隣り合う前記分割第３配線の端部に絶縁膜を介して重畳する第８配線を備える請求項１から請求項１４のいずれか１項に記載の表示装置。
【発明の詳細な説明】
【技術分野】
【０００１】
本発明は、表示装置に関する。
【背景技術】
【０００２】
従来の液晶表示装置の一例として下記特許文献１に記載されたものが知られている。この特許文献１に記載された液晶表示装置は、非表示領域に設けられた第１配線、第２配線、第３配線、第４配線及び第５配線を備えるアクティブマトリクス基板を有する。第１配線は、第１バスライン群のうちの少なくとも一部のバスラインの非入力側端部に絶縁層を介して交差する。第２配線は、第２バスライン群のうちの少なくとも一部のバスラインの非入力側端部に絶縁層を介して交差する。第３配線は、第１バスライン群の入力側端部に絶縁層を介して交差し、且つ、第２バスライン群には交差しない。第４配線は、第２バスライン群の入力側端部に絶縁層を介して交差し、且つ、第１バスライン群には交差しない。第５配線は、第１、第２、第３及び第４配線に絶縁層を介して交差するように引き回されている。第３配線と第４配線とは、電気的に分離されている。
【先行技術文献】
【特許文献】
【０００３】
【特許文献１】国際公開第２０１４／１０９２２１号公報
【発明の概要】
【発明が解決しようとする課題】
【０００４】
上記した特許文献１に記載された液晶表示装置では、第５配線が、ゲートドライバが実装された第２ＦＰＣにも配索されている。第２ＦＰＣは、ゲートドライバの実装領域に加えてゲートドライバとゲートバスラインとに接続されるゲート引き出し配線の形成領域を必要とするため、第５配線の形成領域には限りがある。このため、第５配線の線幅を十分に広く確保するのが難しく、配線抵抗が高くなりがちであり、それに起因して信号鈍りが生じるおそれがあった。
【０００５】
本発明は上記のような事情に基づいて完成されたものであって、信号鈍りを生じ難くすることを目的とする。
【課題を解決するための手段】
【０００６】
本発明の表示装置は、複数の表示配線と、一端側が複数の表示配線の一端側と絶縁膜を介して重畳する複数の第１配線と、一端側が複数の表示配線の他端側と絶縁膜を介して重畳する複数の第２配線と、複数の前記第１配線の他端側から複数の前記第２配線の他端側に至るまで配索される複数の第３配線と、複数の前記第１配線の他端側と複数の前記第３配線の一端側とに絶縁膜を介してそれぞれ重畳する第４配線と、複数の前記第２配線の他端側と複数の前記第３配線の他端側とに絶縁膜を介してそれぞれ重畳する第５配線と、を備える。
【０００７】
このようにすれば、複数の表示配線のいずれかに断線などが生じた場合には、複数の表示配線のうちの断線などが生じた表示配線の一端側及び他端側と、絶縁膜を介してそれぞれ重畳する第１配線及び第２配線における各一端側と、をレーザ照射などの短絡処理によってそれぞれ短絡させる。そして、短絡処理が行われる第１配線の他端側と、絶縁膜を介して重畳する第４配線と、を短絡処理によって短絡させ、その短絡処理が行われる第４配線と、絶縁膜を介して重畳する第３配線の一端側と、を短絡処理によって短絡させる。その上で、短絡処理が行われる第２配線の他端側と、絶縁膜を介して重畳する第５配線と、を短絡処理によって短絡させ、その短絡処理が行われる第５配線と、絶縁膜を介して重畳する第３配線の他端側と、を短絡処理によって短絡させる。これにより、第１配線、第２配線、第３配線、第４配線及び第５配線を介して断線などが生じた表示配線に信号を供給することが可能となる。
【０００８】
ここで、上記したような表示配線の修理は、複数の表示配線の一部のみに行われる場合がある。そのような場合には、例えば、断線などが生じた修理対象の表示配線の一端側及び他端側とそれぞれ重畳する第１配線及び第２配線における各他端側とそれぞれ重畳する第４配線及び第５配線を、複数の第３配線に対して短絡処理によって短絡させる。これにより、修理対象の表示配線には、複数の第３配線を介して信号が供給されることになるので、配線抵抗の低減が図られ、もって信号鈍りなどが生じ難くなる。特に、高精細化や大型化が進行した場合に有用である。なお、修理非対象となる表示配線は、その一端側及び他端側に重畳する第１配線及び第２配線が非短絡状態に保たれることで、修理対象となる表示配線に供給される信号が誤って供給されることが避けられている。
【０００９】
また、複数の第３配線のいずれかに断線などが生じた場合には、その第３配線を修理することが可能となっている。すなわち、断線などが生じた修理対象の第３配線の一端側及び他端側とそれらに重畳する第４配線及び第５配線とに短絡処理を行うとともに、その短絡処理が行われる第４配線及び第５配線とそれらに重畳する他の第３配線の一端側及び他端側とに短絡処理を行えば、断線などが生じた第３配線に代えて、他の第３配線、第４配線及び第５配線を信号の伝送に利用することが可能となる。
【発明の効果】
【００１０】
本発明によれば、信号鈍りを生じ難くすることができる。
【図面の簡単な説明】
【００１１】
【図１】本発明の実施形態１に係る液晶表示装置の平面図
【図２】液晶表示装置の液晶パネルを構成するアレイ基板の表示領域における配線構成を示す平面図
【図３】液晶パネル、各フレキシブル基板及びプリント基板に備わるソース配線及び予備配線などの配線構成を示す平面図
【図４】液晶パネルのうち予備配線の第４配線が配された角部付近を拡大した平面図
【図５】液晶パネルのうち予備配線の第５配線が配された角部付近を拡大した平面図
【図６】予備配線の第１配線、第３配線及び第４配線を関係を示す平面図
【図７】予備配線の第２配線、第３配線及び第５配線を関係を示す平面図
【図８】予備配線の第４配線（第５配線）を延在方向に沿って切断した断面図
【図９】予備配線の第１配線、第３配線及び第４配線における所定の重畳箇所に短絡処理を行った状態を示す平面図
【図１０】予備配線の第２配線、第３配線及び第５配線における所定の重畳箇所に短絡処理を行った状態を示す平面図
【図１１】予備配線の第１配線、第３配線及び第４配線に対する短絡処理箇所を変更した一例を示す平面図
【図１２】予備配線の第１配線、第３配線及び第４配線に対する短絡処理箇所を変更した別の例を示す平面図
【図１３】２本のソース配線に断線が生じた場合に予備配線の第１配線、第３配線及び第４配線における所定の重畳箇所に短絡処理を行った状態を示す平面図
【図１４】本発明の実施形態２に係る予備配線の第１配線、第３配線及び第４配線を関係を示す平面図
【図１５】予備配線の第２配線、第３配線及び第５配線を関係を示す平面図
【図１６】本発明の実施形態３に係る予備配線の第１配線、第３配線及び第４配線を関係を示す平面図
【図１７】予備配線の第２配線、第３配線及び第５配線を関係を示す平面図
【図１８】本発明の実施形態４に係る液晶パネルのうち予備配線の第４配線が配された角部付近を拡大した平面図
【図１９】本発明の実施形態５に係る液晶パネルのうち予備配線の第８配線が配された短辺部付近を拡大した平面図
【図２０】本発明の実施形態６に係る液晶パネル、各フレキシブル基板及びプリント基板に備わるソース配線及び予備配線などの配線構成を示す平面図
【図２１】本発明の他の実施形態（１）に係る予備配線の第１配線、第３配線及び第４配線を関係を示す平面図
【図２２】本発明の他の実施形態（２）に係る予備配線の第１配線、第３配線及び第４配線を関係を示す平面図
【発明を実施するための形態】
【００１２】
＜実施形態１＞
本発明の実施形態１を図１から図１３によって説明する。本実施形態では、液晶表示装置１０について例示する。なお、各図面の一部にはＸ軸、Ｙ軸及びＺ軸を示しており、各軸方向が各図面で示した方向となるように描かれている。また、図８に示す上側を表側とし、同図下側を裏側とする。
【００１３】
本実施形態に係る液晶表示装置１０は、図１に示すように、画像が表示される表示面を有する液晶パネル（表示パネル）１１と、液晶パネル１１に対して裏側に配されて液晶パネル１１にて表示に利用される光を照射するバックライト装置（図示せず）と、液晶パネル１１の端部に接続される複数のフレキシブル基板１２と、複数のフレキシブル基板１２の一部に接続されるプリント基板１３と、を少なくとも備える。フレキシブル基板１２及びプリント基板１３は、液晶パネル１１に対して直接的にまたは間接的にそれぞれ接続されることで１つのモジュール部品を構成するものであり、液晶パネル１１と共に「液晶パネルモジュール（表示パネルモジュール）」を構成している、と言える。なお、液晶パネル１１とフレキシブル基板１２との接続箇所と、フレキシブル基板１２とプリント基板１３との接続箇所には、それぞれ図示しないＡＣＦ（Anisotropic Conductive Film）が介設されている。
【００１４】
液晶パネル１１について説明する。液晶パネル１１は、図１に示すように、ほぼ透明で優れた透光性を有するガラス製の一対の基板１１Ａ，１１Ｂを有しており、両基板１１Ａ，１１Ｂ間には、電界印加に伴って配向状態が変化する液晶層と、液晶層の周りを封止シール部（液晶層共々図示せず）と、が介設されている。液晶パネル１１は、表示面が、中央側部分により構成されて画像が表示される表示領域（アクティブエリア）ＡＡと、外周側部分により構成されて表示領域ＡＡを取り囲む額縁状（枠状）をなすとともに画像が表示されない非表示領域（ノンアクティブエリア）ＮＡＡと、に区分されている。なお、図１では、一点鎖線が表示領域ＡＡの外形を表しており、当該一点鎖線よりも外側の領域が非表示領域ＮＡＡとなっている。なお、両基板１１Ａ，１１Ｂの外面側には、それぞれ偏光板（図示せず）が貼り付けられている。
【００１５】
液晶パネル１１を構成する両基板１１Ａ，１１Ｂのうち表側（正面側）がＣＦ基板１１Ａとされ、裏側（背面側）がアレイ基板１１Ｂとされる。アレイ基板１１Ｂのうちの表示領域ＡＡの内面側には、図２に示すように、スイッチング素子であるＴＦＴ（Thin Film Transistor：表示素子）１４及び画素電極１５が多数個ずつマトリクス状（行列状）に並んで設けられるとともに、これらＴＦＴ１４及び画素電極１５の周りには、格子状をなすゲート配線（第２の表示配線、走査配線）１６及びソース配線（表示配線、信号配線、データ配線）１７が取り囲むようにして配設されている。ゲート配線１６は、Ｘ軸方向（行方向）に沿って概ね直線状に延在していて走査信号を伝送するのに対し、ソース配線１７は、Ｙ軸方向（列方向）に沿って概ね直線状に延在していて画像信号を伝送する。ゲート配線１６は、相対的に下層側に配される第１金属膜Ｍ１からなるのに対し、ソース配線１７は、相対的に上層側に配されて第１金属膜Ｍ１との間に絶縁膜ＩＮが介在する第２金属膜Ｍ２からなる（図８を参照）。これにより、互いに交差するゲート配線１６とソース配線１７との短絡が防がれている。ゲート配線１６は、ＴＦＴ１４のゲート電極に、ソース配線１７は、ＴＦＴ１４のソース電極に、それぞれ接続されているのに対し、画素電極１５は、ＴＦＴ１４のドレイン電極に接続されている。そして、ＴＦＴ１４は、ゲート配線１６から走査信号が供給されることで駆動され、ソース配線１７に供給される画像信号を画素電極１５に供給することで、画素電極１５を画像信号に基づく電位に充電する。画素電極１５は、ゲート配線１６及びソース配線１７により囲まれた方形の領域に配されており、ＩＴＯ（Indium Tin Oxide：酸化インジウム錫）或いはＩＺＯ（Indium Zinc Oxide）といった透明電極膜からなる。一方、ＣＦ基板１１Ａのうちの表示領域ＡＡの内面側には、アレイ基板１１Ｂ側の各画素電極１５と対向状をなす位置にマトリクス状に並ぶ多数個のカラーフィルタと、隣り合うカラーフィルタ間を仕切る遮光部（ブラックマトリクス）と、が少なくとも設けられているが、その図示は省略する。
【００１６】
フレキシブル基板１２は、図３に示すように、合成樹脂材料（例えばポリイミド系樹脂等）からなり絶縁性及び可撓性を有するフィルム状の基材上に多数本の配線パターンを形成した構成とされる。フレキシブル基板１２には、液晶パネル１１の非表示領域ＮＡＡである長辺側の端部に接続される複数のソース側フレキシブル基板（フレキシブル基板、第１のフレキシブル基板）１８と、液晶パネル１１の非表示領域ＮＡＡである短辺側の端部に接続される複数のゲート側フレキシブル基板（第２のフレキシブル基板）１９と、が含まれる。ソース側フレキシブル基板１８は、液晶パネル１１における一方（図３の上側）の長辺側の端部に対してＸ軸方向について間隔を空けて複数（本実施形態では６つ）が並ぶ形で接続されている。各ソース側フレキシブル基板１８は、アレイ基板１１Ｂの長辺側の端部に設けられた第１端子部２０に接続されている。第１端子部２０は、各ソース側フレキシブル基板１８の実装領域においてＸ軸方向に沿って複数が間隔を空けてそれぞれ配される。複数の第１端子部２０には、表示領域ＡＡから引き出されたソース配線１７における一端側に接続されるソース配線用第１端子部（表示配線用第１端子部）２０Ａが含まれている。多数本のソース配線１７は、表示領域ＡＡにおけるＸ軸方向についての配置に応じて特定のソース側フレキシブル基板１８に接続されている。つまり、表示領域ＡＡをＸ軸方向について図３の左側から順に第１区分表示領域ＡＡ１、第２区分表示領域ＡＡ２、第３区分表示領域ＡＡ３、第４区分表示領域ＡＡ４、第５区分表示領域ＡＡ５、第６区分表示領域ＡＡ６の６つに区分したとき、６つのソース側フレキシブル基板１８は、各区分表示領域ＡＡ１〜ＡＡ６に配された各ソース配線１７群に対してそれぞれ画像信号を供給している。なお、図３では、太い一点鎖線が表示領域ＡＡの外形を表し、細い一点鎖線が各区分表示領域ＡＡ１〜ＡＡ６の境界を表している。各ソース側フレキシブル基板１８には、ソース配線１７に画像信号を供給するソースドライバ（表示駆動部）２１がそれぞれ実装されている。第１区分表示領域ＡＡ１及び第６区分表示領域ＡＡ６は、表示領域ＡＡにおいてＸ軸方向について両端側に位置する「端側区分表示領域」であるのに対し、第３区分表示領域ＡＡ３及び第４区分表示領域ＡＡ４は、表示領域ＡＡにおいてＸ軸方向について中央側に位置する「中央側区分表示領域」である、と言える。なお、各ソース側フレキシブル基板１８には、アレイ基板１１Ｂ側の第１端子部２０に対してＡＣＦを介して接続される端子部（図示せず）と、プリント基板１３側の端子部に対してＡＣＦを介して接続される端子部（図示せず）と、が設けられている。なお、ここでは、ソース配線１７は、表示領域ＡＡに形成される部分だけでなく、非表示領域ＮＡＡに形成される部分（例えばソース配線用第１端子部（表示配線用第１端子部）２０Ａと接続される部分（ソース引き出し配線））も含むものとする。ソース配線１７のうちの非表示領域ＮＡＡに形成される部分は、第２金属膜Ｍ２で形成される場合もあるが、第１金属膜Ｍ１で形成される場合もある。
【００１７】
一方、ゲート側フレキシブル基板１９は、図３に示すように、液晶パネル１１における両短辺側の端部に対してＹ軸方向について間隔を空けて複数ずつ（本実施形態では４つずつ）が並ぶ形でそれぞれ接続されている。各ゲート側フレキシブル基板１９は、アレイ基板１１Ｂの両短辺側の各端部に設けられた第２端子部２２に接続されている。第２端子部２２は、各ゲート側フレキシブル基板１９の実装領域においてＹ軸方向に沿って複数が間隔を空けてそれぞれ配される。複数の第２端子部２２には、表示領域ＡＡから引き出されたゲート配線１６における一端側または他端側にそれぞれ接続されるゲート配線用第２端子部（第２の表示配線用第２端子部）２２Ａが含まれている。多数本のゲート配線１６は、表示領域ＡＡにおけるＹ軸方向についての配置に応じて特定のゲート側フレキシブル基板１９に接続されている。各ゲート側フレキシブル基板１９には、ゲート配線１６に走査信号を供給するゲートドライバ（第２の表示駆動部）２３がそれぞれ実装されている。なお、ソースドライバ２１及びゲートドライバ２３は、内部に駆動回路を有するＬＳＩチップからなり、ソース側フレキシブル基板１８及びゲート側フレキシブル基板１９に対してＣＯＦ（Chip On Film）実装されている。また、各ゲート側フレキシブル基板１９には、アレイ基板１１Ｂ側の第２端子部２２に対してＡＣＦを介して接続される端子部（図示せず）が設けられている。なお、ここでは、ゲート配線１６は、表示領域ＡＡに形成される部分だけでなく、非表示領域ＮＡＡに形成される部分（例えばゲート配線用第２端子部（第２の表示配線用第２端子部）２２Ａと接続される部分（ゲート引き出し配線））も含むものとする。ゲート配線１６のうちの非表示領域ＮＡＡに形成される部分は、第１金属膜Ｍ１で形成される場合もあるが、第２金属膜Ｍ２で形成される場合もある。
【００１８】
プリント基板１３は、図３に示すように、合成樹脂材料からなり絶縁性を有するリジッド基板上に多数本の配線パターンを形成するとともに各種電子部品を実装した構成とされる。プリント基板１３は、アレイ基板１１Ｂの長辺と同等程度の長さ寸法を有しており、６つのソース側フレキシブル基板１８におけるアレイ基板１１Ｂ側とは反対側の端部がそれぞれ接続されている。プリント基板１３には、各ソース側フレキシブル基板１８側の端子部に対してＡＣＦを介して接続される端子部（図示せず）が設けられている。なお、フレキシブル基板１２やプリント基板１３には、後述する予備配線２４に接続される増幅回路が実装される場合がある。
【００１９】
ここで、本実施形態の液晶表示装置１０は、図３に示すように、ソース配線１７に断線が生じた場合にその修理を行うための予備配線２４が設けられている。予備配線２４は、ソース配線１７が配された表示領域ＡＡの外側に配されており、液晶パネル１１のアレイ基板１１Ｂにおける非表示領域ＮＡＡ、各フレキシブル基板１２及びプリント基板１３に跨る形で引き回されている。予備配線２４は、ソース配線１７における一端側と他端側とに対して絶縁膜ＩＮを介してそれぞれ重畳している。従って、ソース配線１７に断線が生じた場合には、予備配線２４とソース配線１７との重畳箇所にレーザ光を照射するなどの短絡処理を行うことで、ソース配線１７に対して予備配線２４を短絡させることができる。すると、ソース配線１７のうち断線箇所よりもソースドライバ２１側とは反対側の部分には、予備配線２４を介して画像信号が供給され、もって断線したソース配線１７の修理がなされる。予備配線２４は、表示領域ＡＡを構成する６つの各区分表示領域ＡＡ１〜ＡＡ６毎に２本ずつ、合計１２本が対応付けて配置されている。従って、ソース配線１７は、各区分表示領域ＡＡ１〜ＡＡ６毎に２本ずつ修理することが可能とされる。具体的には、予備配線２４には、第１区分表示領域ＡＡ１のソース配線１７を修理するための２本の第１予備配線２４Ａと、第２区分表示領域ＡＡ２のソース配線１７を修理するための２本の第２予備配線２４Ｂと、第３区分表示領域ＡＡ３のソース配線１７を修理するための２本の第３予備配線２４Ｃと、第４区分表示領域ＡＡ４のソース配線１７を修理するための２本の第４予備配線２４Ｄと、第５区分表示領域ＡＡ５のソース配線１７を修理するための２本の第５予備配線２４Ｅと、第６区分表示領域ＡＡ６のソース配線１７を修理するための２本の第６予備配線２４Ｆと、が含まれる。２本ずつの第１予備配線２４Ａ、第２予備配線２４Ｂ及び第３予備配線２４Ｃは、液晶パネル１１における図３に示す左側の短辺部を通るよう引き回されるのに対し、２本ずつの第４予備配線２４Ｄ、第５予備配線２４Ｅ及び第６予備配線２４Ｆは、液晶パネル１１における図３に示す右側の短辺部を通るよう引き回される。互いに並行しつつ引き回される第１予備配線２４Ａから第３予備配線２４Ｃのうち、第１予備配線２４Ａが最も内周側に、第３予備配線２４Ｃが最も外周側に、それぞれ配される。同様に、互いに並行しつつ引き回される第４予備配線２４Ｄから第６予備配線２４Ｆのうち、第６予備配線２４Ｆが最も内周側に、第４予備配線２４Ｄが最も外周側に、それぞれ配される。各予備配線２４Ａ〜２４Ｆの延面距離（配線長さ）は、両端に位置する両区分表示領域ＡＡ１，ＡＡ６に対応付けられた第１予備配線２４Ａ及び第６予備配線２４Ｆが最短であり、中央側に位置する両区分表示領域ＡＡ３，ＡＡ４に対応付けられた第３予備配線２４Ｃ及び第４予備配線２４Ｄが最長である。
【００２０】
予備配線２４は、図３に示すように、一端側がソース配線１７の一端側に対して重畳される第１配線２５と、一端側がソース配線１７の他端側に対して重畳される第２配線２６と、一端側が複数の第１配線２５の他端側から複数の第２配線２６の他端側に至るまで配索される第３配線２７と、複数の第１配線２５の他端側と複数の第３配線２７の一端側とにそれぞれ重畳する第４配線２８と、複数の第２配線２６の他端側と複数の第３配線２７の他端側とにそれぞれ重畳する第５配線２９と、を有する。つまり、予備配線２４は、分割構造となっている。予備配線２４を構成する第１配線２５の他端側部分、第２配線２６の他端側部分及び第３配線２７は、アレイ基板１１Ｂにおいてはいずれもゲート配線１６と同じ第１金属膜Ｍ１からなるのに対し、第４配線２８及び第５配線２９は、共にソース配線１７と同じ第２金属膜Ｍ２からなる（図８を参照）。従って、アレイ基板１１Ｂにおいて、第１配線２５、第２配線２６及び第３配線２７と、第４配線２８及び第５配線２９と、の重畳箇所には、いずれも絶縁膜ＩＮが介在することになる。
【００２１】
第１配線２５は、図３に示すように、アレイ基板１１Ｂ、ソース側フレキシブル基板１８及びプリント基板１３に跨る形で引き回されている。従って、アレイ基板１１Ｂの第１端子部２０には、ソース配線用第１端子部２０Ａに加えて第１配線２５に接続される予備配線用第１端子部２０Ｂが含まれている。第１配線２５は、アレイ基板１１Ｂの非表示領域ＮＡＡにおいてソース配線１７の一端側に対して絶縁膜ＩＮを介して交差するようＸ軸方向に沿って延在してから屈曲されて予備配線用第１端子部２０Ｂに接続される。第１配線２５は、予備配線用第１端子部２０Ｂから各区分表示領域ＡＡ１〜ＡＡ６毎に実装されたソース側フレキシブル基板１８を通ってからプリント基板１３に通される。第１配線２５は、プリント基板１３においてＸ軸方向について端側に向けて延在してからＸ軸方向について端に位置するソース側フレキシブル基板１８を通される。そして、第１配線２５は、図４に示すように、アレイ基板１１ＢにおけるＸ軸方向についての端部（角部）付近に配された予備配線用第１端子部２０Ｂに接続されてから、Ｙ軸方向に沿ってソース側フレキシブル基板１８側とは反対側に向けて延出し、その端部が予備配線用第１端子部２０Ｂに隣り合う位置に配される。なお、第１配線２５は、ソース側フレキシブル基板１８に配される部分がソースドライバ２１を迂回する配置とされる。
【００２２】
第２配線２６は、図３に示すように、専らアレイ基板１１Ｂに配されている。第２配線２６は、分割構造とされており、ソース配線１７と交差する第１分割第２配線２６Ａと、次述する第３配線２７と交差する第２分割第２配線２６Ｂと、からなる。第１分割第２配線２６Ａは、アレイ基板１１Ｂの非表示領域ＮＡＡにおいてソース配線１７の他端側に対して絶縁膜ＩＮを介して交差するようＸ軸方向に沿って延在してから屈曲されて表示領域ＡＡから遠ざかるよう延在する。なお、第１分割第２配線２６Ａは、Ｘ軸方向に沿って延在する部分が第１金属膜Ｍ１からなり、Ｙ軸方向に沿って延在する部分が第２金属膜Ｍ２からなるとともに、両部分の重畳箇所（屈曲部）が絶縁膜ＩＮに開口形成されたコンタクトホール（図示せず）を通して接続されている。第２分割第２配線２６Ｂは、アレイ基板１１Ｂの非表示領域ＮＡＡにおいて第１分割第２配線２６Ａにおけるソース配線１７側とは反対側の端部に対して絶縁膜ＩＮを介して交差するようＸ軸方向に沿って延在し、アレイ基板１１ＢにおけるＸ軸方向についての端部（角部）付近に達したところでクランク状に屈曲されてその端部が第２端子部２２（後述する予備配線用第２端子部２２Ｂ）に隣り合う位置に配される。
【００２３】
第３配線２７は、図３に示すように、アレイ基板１１Ｂ及びゲート側フレキシブル基板１９に跨る形で引き回されている。従って、アレイ基板１１Ｂの第２端子部２２には、ゲート配線用第２端子部２２Ａに加えて第３配線２７に接続される予備配線用第２端子部２２Ｂが含まれている。詳しくは、第３配線２７は、アレイ基板１１Ｂの非表示領域ＮＡＡにおいて第１配線２５のうち予備配線用第１端子部２０Ｂに隣り合う端部（他端側）から第２配線２６のうち予備配線用第２端子部２２Ｂに隣り合う端部（他端側）に至るまで、アレイ基板１１Ｂの短辺部に実装された４つのゲート側フレキシブル基板１９を全て経由する形で引き回されている。より詳しくは、第３配線２７は、図３及び図４に示すように、一端側が第１配線２５の他端側に並行しつつその延在方向（Ｙ軸方向）と交差する方向であるＸ軸方向に沿って並ぶ形で配されており、そこからＹ軸方向に沿って延在してから外向きに屈曲されてＹ軸方向についてソース側フレキシブル基板１８に最も近いゲート側フレキシブル基板１９が実装される予備配線用第２端子部２２Ｂに接続される。第３配線２７は、図３に示すように、上記予備配線用第２端子部２２Ｂからソース側フレキシブル基板１８に最も近いゲート側フレキシブル基板１９に通される。このとき、第３配線２７は、ゲート側フレキシブル基板１９においてゲートドライバ２３を迂回するよう配されており、具体的には、ゲートドライバ２３を、ゲート配線用第２端子部２２Ａ側を除いた３方から取り囲むよう折り返し状に配索されている。第３配線２７は、ゲート側フレキシブル基板１９からアレイ基板１１Ｂの予備配線用第２端子部２２Ｂに接続されてから、Ｙ軸方向について隣り合うゲート側フレキシブル基板１９の間の部分において折り返し状に配索される。第３配線２７は、ソース側フレキシブル基板１８に最も近いゲート側フレキシブル基板１９に対して隣り合うゲート側フレキシブル基板１９が実装される予備配線用第２端子部２２Ｂに接続される。第３配線２７は、全てゲート側フレキシブル基板１９において上記と同様に配索されるとともに、アレイ基板１１ＢのうちＹ軸方向について隣り合うゲート側フレキシブル基板１９の間の部分において上記と同様に配索される。そして、第３配線２７は、図５に示すように、ソース側フレキシブル基板１８から最も遠いゲート側フレキシブル基板１９を通されてから予備配線用第２端子部２２Ｂに接続され、その予備配線用第２端子部２２ＢからＸ軸方向に沿ってゲート側フレキシブル基板１９とは反対側に向けて延出し、その端部（他端側）が予備配線用第２端子部２２Ｂに隣り合う位置に配される。第３配線２７は、他端側が第２配線２６の他端側に並行しつつその延在方向（Ｘ軸方向）と交差する方向であるＹ軸方向に沿って並ぶ形で配されている。
【００２４】
第４配線２８は、図４に示すように、アレイ基板１１Ｂの非表示領域ＮＡＡにおいてＸ軸方向について端に位置するソース側フレキシブル基板１８に隣り合うよう配されている。第４配線２８は、図６に示すように、Ｘ軸方向に沿って並ぶ第１配線２５の他端側と第３配線２７の一端側とを横切る形でＸ軸方向（延在方向と交差する方向）に沿って直線状に延在する形で配されている。なお、図６では、第１配線２５と第３配線２７とを異なる網掛け状にして図示している。詳しくは、６本ずつの第１配線２５及び第３配線２７は、それぞれの他端側と一端側とがＸ軸方向に沿って交互に繰り返し並ぶ形で配されているのに対し、第４配線２８は、それら合計１２本の第１配線２５及び第３配線２７を全て横切っている。第４配線２８は、交差対象である第１配線２５及び第３配線２７と同数、つまり６本がＹ軸方向について間隔を空けて並んで配されている。各第４配線２８と各第１配線２５及び各第３配線２７との重畳箇所は、Ｘ軸方向及びＹ軸方向に沿ってマトリクス状に間隔を空けて並んで配される。
【００２５】
第４配線２８は、図８に示すように、第１配線２５及び第３配線２７を構成する第１金属膜Ｍ１に対して絶縁膜ＩＮを介して上層側に配される第２金属膜Ｍ２からなる。なお、図８では、第１配線２５（第２配線２６）と第３配線２７とを異なる網掛け状にして図示している。そして、６本の第４配線２８は、図６及び図８に示すように、交差する６本の第３配線２７のうちの特定のものに対して絶縁膜ＩＮに開口形成されたコンタクトホールＣＨを通して接続されている。つまり、６本ずつの第４配線２８及び第３配線２７は、予め個別に接続されている。なお、図６では、図中の「□」印がコンタクトホールＣＨを表している。具体的には、図６に示される２本ずつの第１予備配線２４Ａから第３予備配線２４Ｃを例に挙げると、第１予備配線２４Ａを構成する第１配線２５及び第３配線２７は、同図の右端側に、第３予備配線２４Ｃを構成する第１配線２５及び第３配線２７は、同図の左端側に、第２予備配線２４Ｂを構成する第１配線２５及び第３配線２７は、同図の中央側に、それぞれ配されている。そして、コンタクトホールＣＨは、６本の第４配線２８のうち、Ｙ軸方向について予備配線用第１端子部２０Ｂから遠い端側の第４配線２８と第１予備配線２４Ａを構成する第３配線２７との重畳箇所と、Ｙ軸方向について予備配線用第１端子部２０Ｂに近い端側の第４配線２８と第３予備配線２４Ｃを構成する第３配線２７との重畳箇所と、Ｙ軸方向について中央側の第４配線２８と第２予備配線２４Ｂを構成する第３配線２７との重畳箇所と、にそれぞれ配されている。６個のコンタクトホールＣＨは、平面に視てＸ軸方向及びＹ軸方向に対する斜め方向に沿って直線状に並んで配される。なお、詳しい図示は省略するが、第４予備配線２４Ｄから第６予備配線２４Ｆに係る第１配線２５、第３配線２７及び第４配線２８に関しても、上記した図６に示される第１予備配線２４Ａから第３予備配線２４Ｃと同様の配置構成である。
【００２６】
第５配線２９は、図５に示すように、アレイ基板１１Ｂの非表示領域ＮＡＡにおいてＹ軸方向についてソース側フレキシブル基板１８から最も遠いゲート側フレキシブル基板１９に隣り合うよう配されている。第５配線２９は、図７に示すように、Ｙ軸方向に沿って並ぶ第２配線２６の他端側と第３配線２７の他端側とを横切る形でＹ軸方向（延在方向と交差する方向）に沿って直線状に延在する形で配されている。なお、図７では、第２配線２６と第３配線２７とを異なる網掛け状にして図示している。詳しくは、６本ずつの第２配線２６及び第３配線２７は、それぞれの他端側と他端側とがＹ軸方向に沿って交互に繰り返し並ぶ形で配されているのに対し、第５配線２９は、それら合計１２本の第２配線２６及び第３配線２７を全て横切っている。第５配線２９は、交差対象である第２配線２６及び第３配線２７と同数、つまり６本がＸ軸方向について間隔を空けて並んで配されている。各第５配線２９と各第２配線２６及び各第３配線２７との重畳箇所は、Ｘ軸方向及びＹ軸方向に沿ってマトリクス状に間隔を空けて並んで配される。
【００２７】
第５配線２９は、図８に示すように、第２配線２６及び第３配線２７を構成する第１金属膜Ｍ１に対して絶縁膜ＩＮを介して上層側に配される第２金属膜Ｍ２からなる。なお、第５配線２９に係る断面構造は、上記した第４配線２８に係る断面構造とほぼ同じであるため、図８を流用している。そして、６本の第５配線２９は、図７及び図８に示すように、交差する６本の第２配線２６のうちの特定のものに対して絶縁膜ＩＮに開口形成されたコンタクトホールＣＨを通して接続されている。つまり、６本ずつの第５配線２９及び第２配線２６は、予め個別に接続されている。なお、図７では、図中の「□」印がコンタクトホールＣＨを表している。具体的には、図７に示される２本ずつの第１予備配線２４Ａから第３予備配線２４Ｃを例に挙げると、第１予備配線２４Ａを構成する第２配線２６及び第３配線２７は、同図の上端側に、第３予備配線２４Ｃを構成する第２配線２６及び第３配線２７は、同図の下端側に、第２予備配線２４Ｂを構成する第２配線２６及び第３配線２７は、同図の中央側に、それぞれ配されている。そして、コンタクトホールＣＨは、６本の第５配線２９のうち、Ｘ軸方向について予備配線用第２端子部２２Ｂから遠い端側の第５配線２９と第１予備配線２４Ａを構成する第２配線２６との重畳箇所と、Ｙ軸方向について予備配線用第２端子部２２Ｂに近い端側の第５配線２９と第３予備配線２４Ｃを構成する第２配線２６との重畳箇所と、Ｙ軸方向について中央側の第５配線２９と第２予備配線２４Ｂを構成する第２配線２６との重畳箇所と、にそれぞれ配されている。６個のコンタクトホールＣＨは、平面に視てＸ軸方向及びＹ軸方向に対する斜め方向に沿って直線状に並んで配される。なお、詳しい図示は省略するが、第４予備配線２４Ｄから第６予備配線２４Ｆに係る第２配線２６、第３配線２７及び第５配線２９に関しても、上記した図７に示される第１予備配線２４Ａから第３予備配線２４Ｃと同様の配置構成である。
【００２８】
続いて、ソース配線１７に断線が生じた場合の修理に関して説明する。以下では、図３に示すように、第３区分表示領域ＡＡ３に配されたソース配線１７に断線が発生した場合を例示するが、他の区分表示領域ＡＡ１，ＡＡ２，ＡＡ４〜ＡＡ６に配されたソース配線１７に断線が生じた場合も同様である。なお、図３では、図中の「×」印が断線箇所を表している。第３区分表示領域ＡＡ３に配された１本のソース配線１７に断線が生じた場合は、そのソース配線１７と短絡可能な配置の第３予備配線２４Ｃを用いて修理を行う。以下では、断線したソース配線１７と交差する第１配線２５及び第２配線２６を有する第３予備配線２４Ｃを「修理対象の第３予備配線２４Ｃ」と言う。具体的には、修理対象の第３予備配線２４Ｃを構成する第１配線２５及び第２配線２６の各一端側と、断線したソース配線１７の一端側及び他端側と、の重畳箇所に対してそれぞれＺ軸方向についてアレイ基板１１Ｂ側からレーザ光を照射することで、間に介在する絶縁膜ＩＮを破壊し、重畳箇所同士を導通させる。これにより、修理対象の第３予備配線２４Ｃを構成する第１配線２５及び第２配線２６と断線したソース配線１７とが短絡させられる。なお、このときに短絡処理の対象となる第２配線２６に関しては、第１分割第２配線２６Ａと第２分割第２配線２６Ｂとの重畳箇所にレーザ光の照射（短絡処理）を行い、両者２６Ａ，２６Ｂを短絡させる。なお、図３では、図中の「●」印がレーザ光の照射箇所（短絡箇所）を表している。
【００２９】
その一方、修理対象の第３予備配線２４Ｃを構成する第３配線２７に対してコンタクトホールＣＨを通して接続された第４配線２８を、図８及び図９に示すように、修理対象の第３予備配線２４Ｃを構成する第１配線２５に加えて、修理非対象となる他の予備配線２４Ａ，２４Ｂ，２４Ｃを構成する５本の各第３配線２７に対しても短絡させるようにする。なお、図８及び図９では、図中の「●」印がレーザ光の照射箇所（短絡箇所）を表している。具体的には、上記した第４配線２８と、第３予備配線２４Ｃを構成する１本の第１配線２５及び他の予備配線２４Ａ，２４Ｂ，２４Ｃを構成する５本の第３配線２７の一端側と、の各重畳箇所に対してそれぞれレーザ光の照射を行うことで、各重畳箇所同士を導通させる。このとき、レーザ光の照射箇所は、第４配線２８の延在方向（Ｘ軸方向）に沿って直線的に並ぶ配置となっているので、レーザ光の照射作業を短時間で行うことができ、作業性に優れる。これにより、修理対象の第３予備配線２４Ｃを構成する第１配線２５が、１本の第４配線２８を介して６本全ての第３配線２７に対して短絡させられる。
【００３０】
さらには、修理対象の第３予備配線２４Ｃを構成する第２配線２６に対してコンタクトホールＣＨを通して接続された第５配線２９は、図８及び図１０に示すように、修理対象の第３予備配線２４Ｃを構成する第３配線２７に加えて、修理非対象となる他の予備配線２４Ａ，２４Ｂ，２４Ｃを構成する５本の各第３配線２７に対しても短絡させるようにする。なお、図１０では、図中の「●」印がレーザ光の照射箇所（短絡箇所）を表している。具体的には、上記した第５配線２９と、６本の第３配線２７の他端側と、の各重畳箇所に対してそれぞれレーザ光の照射を行うことで、各重畳箇所同士を導通させる。このとき、レーザ光の照射箇所は、第５配線２９の延在方向（Ｙ軸方向）に沿って直線的に並ぶ配置となっているので、レーザ光の照射作業を短時間で行うことができ、作業性に優れる。これにより、修理対象の第３予備配線２４Ｃを構成する第２配線２６が、１本の第５配線２９を介して６本全ての第３配線２７に対して短絡させられる。以上により、修理対象の第３予備配線２４Ｃを構成する第１配線２５に伝送される画像信号は、図９に示すように、第４配線２８を介して修理対象の第３予備配線２４Ｃを構成する第３配線２７に加えて他の５本の第３配線２７にも伝送された後、図１０に示すように、第５配線２９を介して修理対象の第３予備配線２４Ｃを構成する第２配線２６のみに伝送される。このため、仮に、画像信号が１本の第３配線２７のみに伝送される場合に比べると、第３配線２７を伝送する画像信号に係る配線抵抗が約１／６程度にまで低減される。もって、断線が生じたソース配線１７のうち断線箇所よりもソースドライバ２１側とは反対側の部分に対して第３予備配線２４Ｃを介して供給される画像信号に鈍りが生じ難くなる。特に、例えば７０インチ〜１００インチ程度の画面サイズの大型の液晶表示装置１０においては、予備配線２４の延面距離が長くなって配線抵抗が高くなりがちであることから、有用である。また、解像度が「４Ｋ」や「８Ｋ」などの高精細な液晶表示装置１０においては、設置されるフレキシブル基板１３の数も多くなるため、予備配線２４の延面距離が長くなって配線抵抗が高くなりがちであることから、有用である。なお、各配線２５〜２９に対してレーザ照射（短絡処理）を行う順番は、必ずしも上記した説明の順番通りでなくても勿論構わない。
【００３１】
上記以外にも、各配線２５〜２９に対するレーザ光の照射箇所は、変更可能である。例えば、図１１に示すように、６本全ての第４配線２８を、修理対象の第３予備配線２４Ｃを構成する第１配線２５の他端側に対して短絡させるようにしてもよい。なお、図１１では、図中の「●」印がレーザ光の照射箇所（短絡箇所）を表している。この場合は、修理対象の第３予備配線２４Ｃを構成する第１配線２５の他端側と、６本の第４配線２８と、の各重畳箇所に対してそれぞれレーザ光の照射を行うことで、各重畳箇所同士を導通させる。このとき、レーザ光の照射箇所は、第１配線２５の延在方向（Ｙ軸方向）に沿って直線的に並ぶ配置となっているので、レーザ光の照射作業を短時間で行うことができ、作業性に優れる。これにより、修理対象の第３予備配線２４Ｃを構成する第１配線２５が、６本の第４配線２８を介して６本全ての第３配線２７に対して短絡させられる。
【００３２】
図１１以外にも、例えば、図１２に示すように、修理対象の第３予備配線２４Ｃを構成する第３配線２７に対してコンタクトホールＣＨを通して接続された第４配線２８を、修理非対象となる他の予備配線２４Ａ，２４Ｂ，２４Ｃを構成する５本の各第３配線２７に対しても短絡させるのに加えて、６本全ての第４配線２８を、修理対象の第３予備配線２４Ｃを構成する第１配線２５の他端側に対して短絡させるようにしてもよい。なお、図１２では、図中の「●」印がレーザ光の照射箇所（短絡箇所）を表している。この場合は、修理対象の第３予備配線２４Ｃを構成する第３配線２７に対してコンタクトホールＣＨを通して接続された第４配線２８と、他の予備配線２４Ａ，２４Ｂ，２４Ｃを構成する５本の第３配線２７の一端側と、の各重畳箇所に対してそれぞれレーザ光の照射を行うとともに、修理対象の第３予備配線２４Ｃを構成する第１配線２５の他端側と、６本の第４配線２８と、の各重畳箇所に対してそれぞれレーザ光の照射を行うことで、各重畳箇所同士を導通させる。このようにすれば、修理対象の第３予備配線２４Ｃを構成する第１配線２５の各第４配線２８に対する接続箇所が６箇所になるとともに、修理対象の第３予備配線２４Ｃを構成する第３配線２７に対してコンタクトホールＣＨを通して接続された第４配線２８の各第３配線２７に対する接続箇所が６箇所になることから、配線抵抗のさらなる低減を図ることができるとともに、冗長性に優れる。
【００３３】
続いて、２本のソース配線１７に断線が生じた場合の修理について説明する。以下では、第３区分表示領域ＡＡ３に配された１本のソース配線１７に加えて、第１区分表示領域ＡＡ１に配された１本のソース配線１７にも断線が発生した場合を例示するが、これ以外に異なる区分表示領域ＡＡ１〜ＡＡ３（ＡＡ４〜ＡＡ６）に属する２本のソース配線１７に断線が生じた場合や同じ区分表示領域ＡＡ１〜ＡＡ３（ＡＡ４〜ＡＡ６）に属する２本のソース配線１７に断線が生じた場合も同様である。第１区分表示領域ＡＡ１及び第３区分表示領域ＡＡ３に配された１本ずつのソース配線１７に断線が生じた場合は、それらのソース配線１７と短絡可能な配置の第１予備配線２４Ａ及び第３予備配線２４Ｃを用いて修理を行う。具体的には、修理対象の第１予備配線２４Ａ及び第３予備配線２４Ｃを構成する第１配線２５及び第２配線２６の各一端側と、断線した各ソース配線１７の一端側及び他端側と、の重畳箇所に対してそれぞれレーザ光を照射して重畳箇所同士を導通させる。一方、修理対象の第１予備配線２４Ａ及び第３予備配線２４Ｃを構成する各第３配線２７に対してコンタクトホールＣＨを通して接続された各第４配線２８を、図１３に示すように、修理対象の第１予備配線２４Ａ及び第３予備配線２４Ｃを構成する各第１配線２５に加えて、修理非対象となる他の予備配線２４Ａ，２４Ｂ，２４Ｃを構成する２本ずつの各第３配線２７に対してもそれぞれ短絡させるようにする。なお、図１３では、図中の「●」印がレーザ光の照射箇所（短絡箇所）を表している。具体的には、修理対象の第１予備配線２４Ａを構成する第３配線２７に対してコンタクトホールＣＨを通して接続された第４配線２８と、第１予備配線２４Ａを構成する１本の第１配線２５及び他の第１予備配線２４Ａ及び第２予備配線２４Ｂを構成する２本の第３配線２７の一端側と、の各重畳箇所に対してそれぞれレーザ光の照射を行うことで、各重畳箇所同士を導通させる。それに加えて、修理対象の第３予備配線２４Ｃを構成する第３配線２７に対してコンタクトホールＣＨを通して接続された第４配線２８と、第３予備配線２４Ｃを構成する１本の第１配線２５及び他の第２予備配線２４Ｂ及び第３予備配線２４Ｃを構成する２本の第３配線２７の一端側と、の各重畳箇所に対してそれぞれレーザ光の照射を行うことで、各重畳箇所同士を導通させる。これにより、修理対象の第１予備配線２４Ａを構成する第１配線２５が、１本の第４配線２８を介して３本の第３配線２７に対して短絡させられるとともに、修理対象の第３予備配線２４Ｃを構成する第１配線２５が、１本の第４配線２８を介して３本の第３配線２７に対して短絡させられる。また、図示は省略するが、上記と同様にして、修理対象の第１予備配線２４Ａを構成する第２配線２６に対してコンタクトホールＣＨを通して接続された第５配線２９を、修理対象の第１予備配線２４Ａを構成する第３配線２７に加えて、修理非対象となる第１予備配線２４Ａ及び第２予備配線２４Ｂを構成する２本の第３配線２７に短絡させる。同様に、修理対象の第３予備配線２４Ｃを構成する第２配線２６に対してコンタクトホールＣＨを通して接続された第５配線２９を、修理対象の第３予備配線２４Ｃを構成する第３配線２７に加えて、修理非対象となる第２予備配線２４Ｂ及び第３予備配線２４Ｃを構成する２本の第３配線２７に短絡させる。以上により、仮に、画像信号が１本の第３配線２７のみに伝送される場合に比べると、修理対象の第１予備配線２４Ａ及び第３予備配線２４Ｃに伝送される画像信号に係る配線抵抗が約１／３程度ずつにまで低減される。
【００３４】
以上説明したように本実施形態の液晶表示装置（表示装置）１０は、複数のソース配線（表示配線）１７と、一端側が複数のソース配線１７の一端側と絶縁膜ＩＮを介して重畳する複数の第１配線２５と、一端側が複数のソース配線１７の他端側と絶縁膜ＩＮを介して重畳する複数の第２配線２６と、複数の第１配線２５の他端側から複数の第２配線２６の他端側に至るまで配索される複数の第３配線２７と、複数の第１配線２５の他端側と複数の第３配線２７の一端側とに絶縁膜ＩＮを介してそれぞれ重畳する第４配線２８と、複数の第２配線２６の他端側と複数の第３配線２７の他端側とに絶縁膜ＩＮを介してそれぞれ重畳する第５配線２９と、を備える。
【００３５】
このようにすれば、複数のソース配線１７のいずれかに断線などが生じた場合には、複数のソース配線１７のうちの断線などが生じたソース配線１７の一端側及び他端側と、絶縁膜ＩＮを介してそれぞれ重畳する第１配線２５及び第２配線２６における各一端側と、をレーザ照射などの短絡処理によってそれぞれ短絡させる。そして、短絡処理が行われる第１配線２５の他端側と、絶縁膜ＩＮを介して重畳する第４配線２８と、を短絡処理によって短絡させ、その短絡処理が行われる第４配線２８と、絶縁膜ＩＮを介して重畳する第３配線２７の一端側と、を短絡処理によって短絡させる。その上で、短絡処理が行われる第２配線２６の他端側と、絶縁膜ＩＮを介して重畳する第５配線２９と、を短絡処理によって短絡させ、その短絡処理が行われる第５配線２９と、絶縁膜ＩＮを介して重畳する第３配線２７の他端側と、を短絡処理によって短絡させる。これにより、第１配線２５、第２配線２６、第３配線２７、第４配線２８及び第５配線２９を介して断線などが生じたソース配線１７に信号を供給することが可能となる。
【００３６】
ここで、上記したようなソース配線１７の修理は、複数のソース配線１７の一部のみに行われる場合がある。そのような場合には、例えば、断線などが生じた修理対象のソース配線１７の一端側及び他端側とそれぞれ重畳する第１配線２５及び第２配線２６における各他端側とそれぞれ重畳する第４配線２８及び第５配線２９を、複数の第３配線２７に対して短絡処理によって短絡させる。これにより、修理対象のソース配線１７には、複数の第３配線２７を介して信号が供給されることになるので、配線抵抗の低減が図られ、もって信号鈍りなどが生じ難くなる。特に、高精細化や大型化が進行した場合に有用である。なお、修理非対象となるソース配線１７は、その一端側及び他端側に重畳する第１配線２５及び第２配線２６が非短絡状態に保たれることで、修理対象となるソース配線１７に供給される信号が誤って供給されることが避けられている。
【００３７】
また、複数の第３配線２７のいずれかに断線などが生じた場合には、その第３配線２７を修理することが可能となっている。すなわち、断線などが生じた修理対象の第３配線２７の一端側及び他端側とそれらに重畳する第４配線２８及び第５配線２９とに短絡処理を行うとともに、その短絡処理が行われる第４配線２８及び第５配線２９とそれらに重畳する他の第３配線２７の一端側及び他端側とに短絡処理を行えば、断線などが生じた第３配線２７に代えて、他の第３配線２７、第４配線２８及び第５配線２９を信号の伝送に利用することが可能となる。
【００３８】
また、第１配線２５の他端側と第３配線２７の一端側とが互いに並行しつつそれらの延在方向と交差する方向に並んで配されるとともに、第２配線２６の他端側と第３配線２７の他端側とが互いに並行しつつそれらの延在方向と交差する方向に並んで配されており、第４配線２８は、第１配線２５の他端側及び第３配線２７の一端側の延在方向と交差するよう直線状をなすとともに、第５配線２９は、第２配線２６の他端側及び第３配線２７の他端側の延在方向と交差するよう直線状をなす。このようにすれば、第４配線２８及び第５配線２９が共に直線状をなしているから、仮に第４配線及び第５配線が途中で屈曲されるなどの非直線状とされる場合に比べると、配置スペースの削減を図る上で好適となる。
【００３９】
また、複数の第１配線２５の他端側と複数の第３配線２７の一端側とが交互に並んで配されるとともに、複数の第２配線２６の他端側と複数の第３配線２７の他端側とが交互に並んで配される。このようにすれば、仮に複数の第１配線の他端側を続けて並べてから複数の第３配線の一端側を続けて並べるとともに、複数の第２配線の他端側を続けて並べてから複数の第３配線の他端側を続けて並べるようにした場合に比べると、複数ずつの第１配線２５、第２配線２６及び第３配線２７の配索経路を単純化することができる。
【００４０】
また、第４配線２８と第３配線２７の一端側との間に介在する絶縁膜ＩＮと、第５配線２９と第２配線２６の他端側との間に介在する絶縁膜ＩＮと、には、互いに重畳するもの同士を接続するためのコンタクトホールＣＨが形成されている。このようにすれば、第４配線２８に対して第３配線２７の一端側が間に介在する絶縁膜ＩＮに形成されたコンタクトホールＣＨを通して接続されるとともに、第５配線２９に対して第２配線２６の他端側が間に介在する絶縁膜ＩＮに形成されたコンタクトホールＣＨを通して接続される。従って、ソース配線１７の修理に伴ってレーザ照射などの短絡処理を行う回数を削減することができ、作業性が良好になる。
【００４１】
また、複数のソース配線１７と複数の第１配線２５の一部とが少なくとも設けられるアレイ基板（表示基板）１１Ｂと、複数の第１配線２５の一部が少なくとも設けられてアレイ基板１１Ｂに接続されるソース側フレキシブル基板（フレキシブル基板）１８と、を備える。このようにすれば、仮に第１配線を全域にわたってアレイ基板１１Ｂに設けるようにした場合に比べると、ソース側フレキシブル基板１８に第１配線２５の一部が設けられる分だけアレイ基板１１Ｂにおける第１配線２５の配置スペースを削減することができる。これにより、アレイ基板１１Ｂの狭額縁化を図る上で好適となる。
【００４２】
また、第３配線２７の一端側及び第４配線２８は、アレイ基板１１Ｂにおいてソース側フレキシブル基板１８に対して隣り合うよう配される。このようにすれば、第３配線２７の一端側及び第４配線２８がアレイ基板１１Ｂに設けられるので、レーザ照射などの短絡処理をアレイ基板１１Ｂに対して行うことができる。その上で、第３配線２７の一端側及び第４配線２８がソース側フレキシブル基板１８に対して隣り合うよう配されているので、第３配線２７の延面距離を最大化する上で好適となる。これにより、ソース配線１７に断線などが生じた場合に、複数の第３配線２７に対して第４配線２８及び第５配線２９を短絡させたときの配線抵抗をより低下させることができる。
【００４３】
また、ソース側フレキシブル基板１８は、アレイ基板１１Ｂの端部に沿って複数が間隔を空けて並ぶ形でアレイ基板１１Ｂに接続されており、複数のソース側フレキシブル基板１８におけるアレイ基板１１Ｂ側とは反対側の端部に接続されて複数の第１配線２５の一部が少なくとも設けられるプリント基板１３を備える。このようにすれば、複数のソース側フレキシブル基板１８に加えてプリント基板１３にも第１配線２５が設けられるので、ソース側フレキシブル基板１８の大きさや配置位置の自由度を大きくすることができ、アレイ基板１１Ｂにおける第１配線２５の配置スペースをさらに削減することができる。これにより、アレイ基板１１Ｂのさらなる狭額縁化を図る上で好適となる。
【００４４】
また、ソース側フレキシブル基板１８には、ソース配線１７に信号を供給するソースドライバ（表示駆動部）２１が設けられている。このようにすれば、ソース側フレキシブル基板１８には、ソースドライバ２１の実装領域が必要となるため、複数の第１配線２５の線幅を十分に確保するのが難しくなる場合があるものの、ソース配線１７の修理を行えば、ソース配線１７には複数の第３配線２７を介して信号が供給されることになるので、配線抵抗を十分に低く保つことができる。
【００４５】
また、複数のソース配線１７と、ソース配線１７に対して交差する形で延在するゲート配線（第２の表示配線）１６と、が少なくとも設けられるアレイ基板１１Ｂと、ゲート配線１６に信号を供給するゲートドライバ（第２の表示駆動部）２３と、複数の第３配線２７の一部と、が少なくとも設けられてアレイ基板１１Ｂに接続されるゲート側フレキシブル基板（第２のフレキシブル基板）１９と、を備える。このようにすれば、ゲート側フレキシブル基板１９には、ゲートドライバ２３の実装領域が必要となるため、複数の第３配線２７の線幅を十分に確保するのが難しくなる場合があるものの、ソース配線１７の修理を行えば、ソース配線１７には複数の第３配線２７を介して信号が供給されることになるので、配線抵抗を十分に低く保つことができる。特に、高精細化に伴ってゲート側フレキシブル基板１９の使用数が多くなる場合には、個々の第３配線２７が高抵抗化し易い傾向にあることから、効果的である。
【００４６】
また、ゲート側フレキシブル基板１９は、アレイ基板１１Ｂの端部に沿って複数が間隔を空けて並ぶ形でアレイ基板１１Ｂに接続されており、第３配線２７は、その一部がアレイ基板１１Ｂにおいて隣り合うゲート側フレキシブル基板１９の間となる部分に配される。このようにすれば、第３配線２７は、複数のゲート側フレキシブル基板１９と、アレイ基板１１Ｂにおいて隣り合うゲート側フレキシブル基板１９の間となる部分と、に跨る形で配される。このうち、アレイ基板１１Ｂにおいて隣り合うゲート側フレキシブル基板１９の間となる部分には、ゲートドライバ２３に接続されるゲート配線（第２の表示配線）１６の配置スペースがあるため、第３配線２７の配置スペースを十分に確保するのが難しく、それに起因して第３配線２７の線幅を十分に確保するのが難しくなる場合がある。その点、ソース配線１７の修理を行えば、ソース配線１７には複数の第３配線２７を介して信号が供給されることになるので、配線抵抗を十分に低く保つことができる。
【００４７】
また、第３配線２７の他端側及び第５配線２９は、アレイ基板１１Ｂにおいて複数のゲート側フレキシブル基板１９のうち第２配線２６の他端側に最も近いゲート側フレキシブル基板１９に対して隣り合うよう配される。このようにすれば、第３配線２７の他端及び第５配線２９がアレイ基板１１Ｂに設けられるので、レーザ照射などの短絡処理をアレイ基板１１Ｂに対して行うことができる。その上で、第３配線２７の他端側及び第５配線２９が複数のゲート側フレキシブル基板１９のうち第２配線２６の他端側に最も近いゲート側フレキシブル基板１９に対して隣り合うよう配されているので、第３配線２７は、複数のゲート側フレキシブル基板１９の全てを経由して第５配線２９に対して接続されることになる。従って、仮に第３配線の他端側及び第５配線を、アレイ基板１１Ｂにおいて隣り合うゲート側フレキシブル基板１９の間となる部分に配した場合に比べると、第３配線２７の延面距離を大きく確保することができる。これにより、ソース配線１７に断線などが生じた場合に、複数の第３配線２７に対して第４配線２８及び第５配線２９を短絡させたときの配線抵抗をより低下させることができる。
【００４８】
また、第１配線２５、第２配線２６、第３配線２７、第４配線２８及び第５配線２９は、同数ずつ配される。このようにすれば、各配線２５〜２９の本数を同じに揃えることで、ソース配線１７の修理可能本数を最大化することができる。
【００４９】
＜実施形態２＞
本発明の実施形態２を図１４または図１５によって説明する。この実施形態２では、予備配線１２４の構成を変更したものを示す。なお、上記した実施形態１と同様の構造、作用及び効果について重複する説明は省略する。
【００５０】
本実施形態に係る予備配線１２４に含まれる第３予備配線１２４Ｃは、図１４及び図１５に示すように、第１配線１２５、第２配線１２６及び第３配線１２７を全て直接連ねたような構成（非分割構造）とされる点で、分割構造とされる第１予備配線１２４Ａ及び第２予備配線１２４Ｂとは異なっている。これに伴い、第３予備配線１２４Ｃは、第４配線１２８及び第５配線１２９と交差する部分の線幅が、第１予備配線１２４Ａ及び第２予備配線１２４Ｂの同部分の線幅よりも広くなっている。第４配線１２８及び第５配線１２９は、第３予備配線１２４Ｃの設置本数と同数（２本）ずつ配されている。２本ずつの第４配線１２８及び第５配線１２９は、各第３予備配線１２４Ｃに対してコンタクトホールＣＨを通してそれぞれ接続されている。第４配線１２８は、第３予備配線１２４Ｃに加えて２本ずつの第１予備配線１２４Ａ及び第２予備配線１２４Ｂを構成する各第１配線１２５の他端側と各第３配線１２７の一端側との全てに対して重畳しており、第５配線１２９は、第３予備配線１２４Ｃに加えて２本ずつの第１予備配線１２４Ａ及び第２予備配線１２４Ｂを構成する各第２配線１２６の他端側と各第３配線１２７の他端側との全てに対して重畳している。なお、中央寄りの第３予備配線１２４Ｃに接続される第４配線１２８及び第５配線１２９は、端寄りの第３予備配線１２４Ｃとは非重畳の配置とされる。
【００５１】
そして、第１予備配線１２４Ａ及び第２予備配線１２４Ｂを構成する１本ずつの第１配線１２５の他端側と第３配線１２７の一端側とに対してそれぞれ絶縁膜（図示せず）を介して重畳する第６配線３０と、第１予備配線１２４Ａ及び第２予備配線１２４Ｂを構成する１本ずつの第２配線１２６の他端側と第３配線１２７の他端側とに対してそれぞれ絶縁膜を介して重畳する第７配線３１と、が設けられている。第６配線３０及び第７配線３１は、それぞれ第２金属膜からなり、第１予備配線１２４Ａ及び第２予備配線１２４Ｂに対して個別に対応付けて４本ずつ設けられている。４本の第６配線３０は、第４配線１２８に並行する形で延在していて、同一直線上に並んで配されている。各第６配線３０は、第１予備配線１２４Ａ及び第２予備配線１２４Ｂを構成する各第３配線１２７の一端側に対してコンタクトホールＣＨを通して接続されている。４本の第７配線３１は、第５配線１２９に並行する形で延在していて、同一直線上に並んで配されている。各第７配線３１は、第１予備配線１２４Ａ及び第２予備配線１２４Ｂを構成する各第２配線１２６の他端側に対してコンタクトホールＣＨを通して接続されている。従って、第１区分表示領域ＡＡ１または第２区分表示領域ＡＡ２に配されたソース配線１７に断線が生じた場合には、断線したソース配線１７と重畳する第１予備配線１２４Ａまたは第２予備配線１２４Ｂの第１配線１２５及び第３配線１２７における他端側を第６配線３０及び第７配線３１に対してそれぞれ短絡させる（図３を参照）。これにより、断線したソース配線１７には、第１予備配線１２４Ａまたは第２予備配線１２４Ｂを構成する１本ずつの各配線３０，３１，１２５，１２６，１２７を介して画像信号が供給される。一方、第３区分表示領域ＡＡ３に配されたソース配線１７に断線が生じた場合には、断線したソース配線１７と重畳する第３予備配線１２４ＣにコンタクトホールＣＨを通して接続された第４配線１２８及び第５配線１２９を、修理非対象となる第１予備配線１２４Ａ及び第２予備配線１２４Ｂを構成する各第３配線１２７の一端側及び他端側に対してそれぞれ短絡させる（図３を参照）。これにより、断線したソース配線１７には、第３予備配線１２４Ｃに加えて、第１予備配線１２４Ａ及び第２予備配線１２４Ｂを構成する各第３配線１２７を介して画像信号が供給され、もって配線抵抗の低減が図られる。この第３予備配線１２４Ｃは、上記した実施形態１にて説明した通り、第１予備配線１２４Ａ及び第２予備配線１２４Ｂに比べて延面距離が最長であり、配線抵抗が最も高くなる傾向にあることから、特に有用である。しかも、第３予備配線１２４Ｃに対しては短絡処理を行う必要がないので、上記した実施形態１よりも短絡処理を行う回数を削減することができる。
【００５２】
以上説明したように本実施形態によれば、第４配線１２８は、複数ずつの第１配線１２５の他端側と第３配線１２７の一端側との全てに対して重畳し、第５配線１２９は、複数ずつの第２配線１２６の他端側と第３配線１２７の他端側との全てに対して重畳しており、１つずつの第１配線１２５の他端側と第３配線１２７の一端側とに対して重畳する第６配線３０と、１つずつの第２配線１２６の他端側と第３配線１２７の他端側とに対して重畳する第７配線３１と、を備える。このようにすれば、１つずつの第１配線１２５及び第２配線１２６の各他端側と第３配線１２７の一端側及び他端側とに対して第６配線３０及び第７配線３１を、レーザ照射などの短絡処理により短絡することで、１つの第３配線１２７を介して１つずつの第１配線１２５及び第２配線１２６に信号が伝送される。ここで、複数のソース配線１７は、その配置などに起因して断線などの修理を行ったときの配線抵抗に差が生じる場合がある。第６配線３０及び第７配線３１は、上記配線抵抗が相対的に低いソース配線１７の修理に用いられるのが好ましく、また第４配線１２８及び第５配線１２９は、上記配線抵抗が相対的に高いソース配線１７の修理に用いられるのが好ましい。
【００５３】
＜実施形態３＞
本発明の実施形態３を図１６または図１７によって説明する。この実施形態３では、上記した実施形態２から第３予備配線２２４Ｃの構成を変更したものを示す。なお、上記した実施形態２と同様の構造、作用及び効果について重複する説明は省略する。
【００５４】
本実施形態に係る予備配線２２４に含まれる第３予備配線２２４Ｃは、図１６及び図１７に示すように、第１予備配線２２４Ａ及び第２予備配線２２４Ｂと同様に分割構造とされる。第４配線２２８は、上記した実施形態１に記載されたものと同様に、第１予備配線２２４Ａから第３予備配線２２４Ｃを構成する各第１配線２２５の他端側と各第３配線２２７の一端側との全てに対して重畳するよう延在している。同様に、第５配線２２９は、第１予備配線２２４Ａから第３予備配線２２４Ｃを構成する各第２配線２２６の他端側と各第３配線２２７の他端側との全てに対して重畳するよう延在している。
【００５５】
＜実施形態４＞
本発明の実施形態４を図１８によって説明する。この実施形態４では、上記した実施形態１から予備配線３２４の構成を変更したものを示す。なお、上記した実施形態１と同様の構造、作用及び効果について重複する説明は省略する。
【００５６】
本実施形態に係る予備配線３２４は、図１８に示すように、第１配線３２５の他端側と、第３配線３２７の一端側と、第４配線３２８とが、ゲート側フレキシブル基板３１９が実装される予備配線用第２端子部３２２Ｂに隣り合う位置に配されている。このような構成であっても、上記した実施形態１と同様の作用及び効果が得られる。
【００５７】
＜実施形態５＞
本発明の実施形態５を図１９によって説明する。この実施形態５では、上記した実施形態１から予備配線４２４の構成を変更したものを示す。なお、上記した実施形態１と同様の構造、作用及び効果について重複する説明は省略する。
【００５８】
本実施形態に係る予備配線４２４は、図１９に示すように、第３配線４２７が複数（３本）の分割第３配線４２７Ｓに分割されている。詳しくは、第３配線４２７は、第１配線（図示せず）の他端側に対して隣り合う一端側を有する第１分割第３配線４２７Ｓ１と、第２配線（図示せず）の他端側に対して隣り合う他端側を有する第２分割第３配線４２７Ｓ２と、特定のゲート側フレキシブル基板４１９に大部分が配された第３分割第３配線４２７Ｓ３と、からなる。このうち、第３分割第３配線４２７Ｓ３は、ゲート側フレキシブル基板４１９においてゲートドライバ４２３を３方から取り囲むよう折り返し状をなすとともにその両端部がアレイ基板４１１Ｂ側の予備配線用第２端子部４２２Ｂにそれぞれ接続されている。第３分割第３配線４２７Ｓ３の両端部は、接続対象の予備配線用第２端子部４２２Ｂに対して隣り合う位置に配されており、そこで第１分割第３配線４２７Ｓ１及び第２分割第３配線４２７Ｓ２の各端部に対してそれぞれＹ軸方向に沿って並ぶ配置となっている。そして、互いに隣り合う第３分割第３配線４２７Ｓ３の一方の端部及び第１分割第３配線４２７Ｓ１の端部と、互いに隣り合う第３分割第３配線４２７Ｓ３の他方の端部及び第２分割第３配線４２７Ｓ２の端部と、には、絶縁膜（図示せず）を介して第２金属膜からなる第８配線３２がそれぞれ重畳するよう設けられている。第８配線３２は、Ｘ軸方向に沿って第３配線４２７の本数と同数（６本）ずつが間隔を空けてそれぞれ並んで配されている。このように第３配線４２７を分割構造とすれば、冗長性を確保する上で好適となる。なお、詳しい図示は省略するが、第１分割第３配線４２７Ｓ１及び第３分割第３配線４２７Ｓ３の各端部と重畳する第８配線３２は、第１分割第３配線４２７Ｓ１または第３分割第３配線４２７Ｓ３の端部に対してコンタクトホールを通して接続されていてもよい。同様に、第３分割第３配線４２７Ｓ３及び第２分割第３配線４２７Ｓ２の各端部と重畳する第８配線３２は、第３分割第３配線４２７Ｓ３または第２分割第３配線４２７Ｓ２の端部に対してコンタクトホールを通して接続されていてもよい。
【００５９】
以上説明したように本実施形態によれば、第３配線４２７は、端部同士が隣り合って配される複数の分割第３配線４２７Ｓに分割されており、互いに隣り合う分割第３配線４２７Ｓの端部に絶縁膜を介して重畳する第８配線３２を備える。このようにすれば、互いに隣り合う分割第３配線４２７Ｓの端部と第８配線３２とをレーザ照射などの短絡処理により短絡することで、第８配線３２を介して複数の分割第３配線４２７Ｓに信号が伝送される。このように第３配線４２７を分割構造とすれば、冗長性を確保する上で好適となる。
【００６０】
＜実施形態６＞
本発明の実施形態６を図２０によって説明する。この実施形態６では、上記した実施形態１からフレキシブル基板５１２の構成を変更したものを示す。なお、上記した実施形態１と同様の構造、作用及び効果について重複する説明は省略する。
【００６１】
本実施形態に係るフレキシブル基板５１２には、図２０に示すように、ソース側フレキシブル基板５１８及びゲート側フレキシブル基板（表示駆動用フレキシブル基板）５１９に加えて、予備配線５２４の第３配線５２７の一部が専ら設けられる第３配線用フレキシブル基板３３が含まれる。第３配線用フレキシブル基板３３は、Ｙ軸方向に沿って並ぶ４つのゲート側フレキシブル基板５１９を外側から取り囲むよう配される。これに伴い、ゲート側フレキシブル基板５１９には、ゲートドライバ５２３やゲートドライバ５２３に接続される配線などが設けられるものの、第３配線５２７が非形成とされる。つまり、第３配線５２７は、アレイ基板５１１Ｂと第３配線用フレキシブル基板３３とに設けられている。このようにすれば、上記した実施形態１に比べると、第３配線５２７の一部を第３配線用フレキシブル基板３３に設けるようにした分だけ、ゲート側フレキシブル基板５１９を小型化することができる。また、アレイ基板５１１ＢにおいてＹ軸方向について隣り合うゲート側フレキシブル基板５１９の間となる部分に第３配線５２７が配置されることがないので、ゲート配線５１６の配置スペースを十分に確保することができる。逆に言うと、第３配線用フレキシブル基板３３には、第３配線５２７の配置スペースが十分に確保されるので、配線抵抗の低減を図る上で好適となり、信号鈍りがより生じ難くなる。なお、第３配線用フレキシブル基板３３は、ソース配線５１７に断線が生じた場合にアレイ基板５１１Ｂに接続すればよい。すなわち、ソース配線５１７に断線が生じない場合には、第３配線用フレキシブル基板３３を接続しなくてもよいため、製造コストを低減させることができる。
【００６２】
以上説明したように本実施形態によれば、複数のソース配線５１７と、ソース配線５１７に対して交差する形で延在するゲート配線５１６と、が少なくとも設けられるアレイ基板５１１Ｂと、ゲート配線５１６に信号を供給するゲートドライバ５２３が少なくとも設けられてアレイ基板５１１Ｂに接続されるゲート側フレキシブル基板５１９と、複数の第３配線５２７の一部が少なくとも設けられる第３配線用フレキシブル基板３３と、を備える。このようにすれば、仮にゲートドライバと複数の第３配線の一部とを同じフレキシブル基板に設けるようにした場合に比べると、複数の第３配線５２７の一部を第３配線用フレキシブル基板３３に設けるようにした分だけ、ゲート側フレキシブル基板５１９を小型化することができる。また、複数のゲート側フレキシブル基板５１９がアレイ基板５１１Ｂの端部に対して間隔を空けて並ぶ形で接続された場合には、アレイ基板５１１Ｂにおいて隣り合うゲート側フレキシブル基板５１９の間となる部分に第３配線５２７が配置されることがないので、ゲート配線５１６の配置スペースを十分に確保することができる。逆に言うと、第３配線用フレキシブル基板３３には、第３配線５２７の配置スペースが十分に確保されるので、信号鈍りがより生じ難くなる。
【００６３】
＜他の実施形態＞
本発明は上記記述及び図面によって説明した実施形態に限定されるものではなく、例えば次のような実施形態も本発明の技術的範囲に含まれる。
（１）上記した実施形態１の変形例として、図２１に示すように、コンタクトホールＣＨが第４配線２８−１と第１配線２５−１の他端側との各重畳箇所に配置されていてもよい。この場合、短絡処理は、第４配線２８−１と第３配線２７−１の一端側との各重畳箇所に行うようにすればよい。
（２）上記した実施形態１の変形例として、図２２に示すように、第４配線２８−２と第１配線２５−２の他端側及び第３配線２７−２の一端側との各重畳箇所にコンタクトホールが非形成とされていても構わない。この場合、短絡処理は、修理対象の予備配線２４−２（図２２では第３予備配線２４Ｃ−２）を構成する第１配線２５−２の他端側といずれかの第４配線２８−２との重畳箇所と、その第４配線２８−２と全ての第３配線２７−２の一端側との各重畳箇所と、に行うようにすればよい。
（３）上記した実施形態１の変形例として、コンタクトホールが第５配線と第３配線の他端側との重畳箇所に配置されていてもよい。また、実施形態２から実施形態６においても、コンタクトホールの具体的な設置箇所や設置数などは適宜に変更可能である。
（４）上記した実施形態１では、短絡処理を行う箇所に関して複数の例を挙げて説明したが、これら以外にも具体的に短絡処理を行う箇所は適宜に変更可能である。また、実施形態２〜実施形態６に関しても同様である。
（５）上記した実施形態２，３では、第４配線及び第５配線が２本ずつ設けられた場合を示したが、第４配線及び第５配線の設置本数は１本または３本以上であっても構わない。
（６）上記した実施形態４以外にも、第４配線の配置は適宜に変更可能である。また、第５配線の配置に関しても適宜に変更可能である。
（７）上記した実施形態５以外にも、第３配線の分割数（分割第３配線の数）は、２または４以上にも変更可能である。第３配線の分割数が２の場合は、第８配線が１箇所のみに配され、第３配線の分割数が４以上の場合は第８配線が３箇所以上に配されることになる。つまり、第８配線の設置箇所数は、第３配線の分割数から１を差し引いた値となる。
（８）上記した各実施形態では、１本または２本のソース配線に断線が生じた場合の修理について示したが、３本〜５本のソース配線に断線が生じた場合であっても、画像信号を２本以上の第３配線に伝送させることが可能となっており、それにより配線抵抗の低減を図ることができる。
（９）上記した各実施形態では、主に第１予備配線から第３予備配線に関して説明したが、第４予備配線から第６予備配線に関しても同様にしてソース配線の修理を行うことが可能である。
（１０）上記した各実施形態では、ソース配線の修理に際して全ての第３配線に画像信号が伝送されるよう短絡処理を行う場合を示したが、画像信号を伝送する第３配線の本数が第３配線の総数よりも少なくなるよう短絡処理を行ってもよい。
（１１）上記した各実施形態（実施形態２を除く）では、予備配線を構成する各配線の本数が同数とされる場合を示したが、予備配線を構成する各配線の本数が異なっていても構わない。
（１２）上記した各実施形態では、第１配線がアレイ基板に加えてソース側フレキシブル基板及びプリント基板にも設けられる場合を示したが、第１配線が専らアレイ基板に設けられていても構わない。同様に、第３配線がゲート側フレキシブル基板には非形成とされて専らアレイ基板に設けられていても構わない。
（１３）上記した各実施形態では、ゲート側フレキシブル基板がアレイ基板に実装される構成を示したが、ゲート側フレキシブル基板を省略することも可能である。その場合は、第３配線は、専らアレイ基板に設けられる。なお、この場合、アレイ基板にゲートドライバと同様の機能を有するモノリシック回路部を設けるのが好ましい。また、ゲートドライバがアレイ基板にＣＯＧ（Chip On Glass）実装されていても構わない。
（１４）上記した各実施形態では、ソース側フレキシブル基板にソースドライバが実装される場合を示したが、ソースドライバがアレイ基板にＣＯＧ実装されていても構わない。
（１５）上記した各実施形態以外にも、ソース側フレキシブル基板やゲート側フレキシブル基板の具体的に実装数や配置は適宜に変更可能である。例えば、ゲート側フレキシブル基板が液晶パネルにおける一方の短辺部のみに実装されていても構わない。また、ソース側フレキシブル基板が液晶パネルにおける両長辺部にそれぞれ実装されていても構わない。
（１６）上記した各実施形態では、各区分表示領域毎に２本ずつの予備配線が設けられた場合を示したが、各区分表示領域毎に１本ずつまたは３本以上ずつの予備配線が設けられていても構わない。
（１７）上記した各実施形態以外にも、表示領域における区分表示領域の数（区分数）は、５以下または７以上に変更することが可能である。
（１８）上記した各実施形態では、ソース配線を修理するための予備配線について示したが、ゲート配線を修理するための予備配線が設けられた場合には、その予備配線に本発明を適用することも可能である。
（１９）液晶パネルの表示モードとしては、ＴＮモード、ＶＡモード、ＲＴＮモード、ＩＰＳモード、ＦＦＳモードなどを挙げることができ、いずれにも本発明は適用可能である。
（２０）上記した各実施形態では、液晶パネルの平面形状が横長の長方形とされる場合を示したが、液晶表示装置の平面形状が縦長の長方形、正方形、円形、半円形、長円形、楕円形、台形などであっても構わない。
（２１）上記した各実施形態では、液晶パネルを備えた液晶表示装置について例示したが、他の種類の表示パネル（ＰＤＰ（プラズマディスプレイパネル）、有機ＥＬパネル、ＥＰＤ（マイクロカプセル型電気泳動方式のディスプレイパネル）、ＭＥＭＳ（Micro Electro Mechanical Systems）表示パネルなど）を備えた表示装置であっても構わない。
【符号の説明】
【００６４】
１０…液晶表示装置（表示装置）、１１Ｂ，４１１Ｂ…アレイ基板（表示基板）、１３…プリント基板、１６，５１６…ゲート配線（第２の表示配線）、１７，５１７…ソース配線（表示配線）、１８，５１８…ソース側フレキシブル基板（フレキシブル基板）、１９，３１９，４１９…ゲート側フレキシブル基板（第２のフレキシブル基板）、２１…ソースドライバ（表示駆動部）、２３，４２３…ゲートドライバ（第２の表示駆動部）、２５，２５−１，２５−２，１２５，２２５，３２５…第１配線、２６，１２６，２２６…第２配線、２７，２７−１，２７−２，１２７，２２７，３２７，４２７，５２７…第３配線、２８，２８−１，２８−２，１２８，２２８，３２８…第４配線、２９，１２９，２２９…第５配線、３０…第６配線、３１…第７配線、３２…第８配線、３３…第３配線用フレキシブル基板、４２７Ｓ…分割第３配線、５１９…ゲート側フレキシブル基板（表示駆動用フレキシブル基板）、ＣＨ…コンタクトホール、ＩＮ…絶縁膜
【図１】
2019101211.tif 000003
【図２】
2019101211.tif 000004
【図３】
2019101211.tif 000005
【図４】
2019101211.tif 000006
【図５】
2019101211.tif 000007
【図６】
2019101211.tif 000008
【図７】
2019101211.tif 000009
【図８】
2019101211.tif 000010
【図９】
2019101211.tif 000011
【図１０】
2019101211.tif 000012
【図１１】
2019101211.tif 000013
【図１２】
2019101211.tif 000014
【図１３】
2019101211.tif 000015
【図１４】
2019101211.tif 000016
【図１５】
2019101211.tif 000017
【図１６】
2019101211.tif 000018
【図１７】
2019101211.tif 000019
【図１８】
2019101211.tif 000020
【図１９】
2019101211.tif 000021
【図２０】
2019101211.tif 000022
【図２１】
2019101211.tif 000023
【図２２】
2019101211.tif 000024